(57)【要約】【課題】資源が譲渡される際に要するタイムロスによって、その価値が低減することを抑制し得るように、資源の譲渡状態を管理し得る、言うなれば、資源の未来管理を可能とするシステム等を提供する。【解決手段】第１端末２１０とのネットワーク通信により、第１エンティティを識別するための第１識別子と第１エンティティがリリースする第１資源と第１資源のリリース時期である第１時期とを関連付けて認識する第１処理部１１０と、第２端末２２０とのネットワーク通信により、第２エンティティを識別するための第２識別子と第２エンティティがリクエストする第２資源と第２資源の取得要望時期である第２時期とを関連付けて認識する第２処理部１２０と、第１資源と第２資源とが一致するという資源的要件と、第１時期と第２時期とが重複するという時期的要件とを満たす第１識別子および第２識別子の組合せを決定する第３処理部１３０とを備える。【選択図】図１
2007299041.tif 000002
【特許請求の範囲】
【請求項１】
ネットワーク通信を利用して、エンティティが有する資源に関する情報を管理するシステムであって、
複数の第１端末とのネットワーク通信により、複数の第１エンティティのそれぞれを識別するための第１識別子と、第１エンティティがリリースする資源（以下「第１資源」という。）と、第１エンティティによる第１資源のリリース時期（以下「第１時期」という。）とを関連付けて認識する第１処理部と、
複数の第２端末とのネットワーク通信により、第１エンティティと異なる複数の第２エンティティのそれぞれを識別するための第２識別子と、第２エンティティがリクエストする資源（以下「第２資源」という。）と、第２エンティティによる第２資源の取得要望時期（以下「第２時期」という。）とを関連付けて認識する第２処理部と、
第１処理部によって認識された第１資源と、第２処理部によって認識された第２資源とが一致するという資源的要件と、第１処理部によって認識された第１時期と、第２処理部によって認識された第２時期とが重複するという時期的要件とを満たす第１識別子および第２識別子の組合せを決定する第３処理部とを備えることを特徴とする資源情報管理システム。
【請求項２】
第１処理部が第１識別子に関連付けて第１資源の市場価格または第１エンティティによる第１資源の販売希望価格（以下「第１価格」という。）をさらに認識し、
第２処理部が第２識別子に関連付けて第２エンティティによる第２資源の購入希望価格（以下「第２価格」という。）をさらに認識し、
第３処理部が、第１処理部により認識された第１価格と、第２処理部により認識された第２価格との合致度を表す変数を価格変数として算出し、当該価格変数に基づいて第１および第２識別子の組合せを決定することを特徴とする請求項１記載の資源情報管理システム。
【請求項３】
第１処理部が第１識別子に関連付けて第１エンティティによる第１資源のリリース数量（以下「第１数量」という。）をさらに認識し、
第２処理部が第２識別子に関連付けて第２エンティティによる第２資源のリクエスト数量（以下「第２数量」という。）をさらに認識し、
第３処理部が、第１処理部によって認識された第１数量と、第２処理部によって認識された第２数量との合致度を表す変数を数量変数として算出し、当該数量変数に基づいて第１および第２識別子の組合せを決定することを特徴とする請求項１又は２記載の資源情報管理システム。
【請求項４】
第１処理部が第１識別子に関連付けて第１エンティティの社会的、経済的および地理的属性のうち一部または全部に応じた第１属性因子をさらに認識し、
第２処理部が第２識別子に関連付けて第２エンティティの社会的、経済的および地理的属性のうち一部または全部に応じた第２属性因子をさらに認識し、
第３処理部が、第１処理部によって認識された第１属性因子と、第２処理部によって認識された第２属性因子との合致度を表す変数を属性変数として算出し、当該属性変数に基づいて第１および第２識別子の組合せを決定することを特徴とする請求項１，２又は３記載の資源情報管理システム。
【請求項５】
第３処理部が、決定した組合せに係る第１識別子により識別される第１エンティティの第１端末に、当該組み合わせに係る第２識別子を送信し、かつ、当該組合せに係る第２識別子により識別される第２エンティティの第２端末に、当該組み合わせに係る第１識別子を送信することを特徴とする請求項１、２、３または４記載の資源情報管理システム。
【請求項６】
第３処理部が、第２識別子を送信した第１端末から第１エンティティによる第２識別子により識別される第２エンティティへの第１資源の譲渡同意を受信し、かつ、第１識別子を送信した第２端末から第２エンティティによる第１識別子により識別される第１エンティティからの第１資源の譲渡同意を受信したことを要件として、第１および第２識別子の組合せを最終的に決定することを特徴とする請求項５記載の資源情報管理システム。
【請求項７】
第３処理部により最終決定された第１および第２識別子のうち一方または両方を輸送業者の端末に送信することを特徴とする請求項６記載の資源情報管理システム。
【請求項８】
ネットワーク通信を利用して、エンティティが有する資源に関する情報を管理する機能をコンピュータに付与するプログラムであって、
複数の第１端末とのネットワーク通信により、複数の第１エンティティのそれぞれを識別するための第１識別子と、第１資源と、第１時期とを関連付けて認識する第１処理機能と、
複数の第２端末とのネットワーク通信により、第１エンティティと異なる複数の第２エンティティのそれぞれを識別するための第２識別子と、第２資源と、第２時期とを関連付けて認識する第２処理機能と、
第１処理機能によって認識された第１資源と、第２処理機能によって認識された第２資源とが一致するという資源的要件と、第１処理機能によって認識された第１時期と、第２処理機能によって認識された第２時期とが重複するという時期的要件とを満たす第１識別子および第２識別子の組合せを決定する第３処理機能とを前記コンピュータに付与することを特徴とする資源情報管理プログラム。
【請求項９】
請求項１記載の資源情報管理システムを構成するために請求項８記載の資源情報管理プログラムのうちの一部または全部を、ネットワークを介してコンピュータ又はサーバにダウンロードすることを特徴とする方法。
【請求項１０】
請求項９記載の方法を実施することを特徴とするサーバ。
【発明の詳細な説明】
【技術分野】
【０００１】
本発明はネットワーク通信を利用してエンティティが有する資源に関する情報を管理するシステム、当該管理機能をコンピュータに付与するプログラム、当該プログラムをコンピュータにダウンロードする方法、および当該方法を実施するサーバに関する。
【背景技術】
【０００２】
従来、稼動済みの中古品の売買は、オークションに代表されるように、稼動済みの中古品を売却したい企業や個人等の第１エンティティが、事前に中古品の情報をデータベースに登録しておき、購入を希望する企業や個人等の第２エンティティが該データベースにアクセスして、購入を希望する中古品が売りに出されているか検索する売買仲介システム知られている（例えば特許文献１参照。）。
【０００３】
かかる売買仲介システムにおいて、前記第１エンティティは、予め、稼動済みとなった中古品の種類や数量、該中古品が現在保管されている倉庫や倉庫内の位置などの中古品の在庫情報を確認した上で、該売買仲介システムに中古品の情報を登録する作業が必要である。
【特許文献１】特開２００２−２４５２８３号公報
【発明の開示】
【発明が解決しようとする課題】
【０００４】
しかしながら、前記売買仲介システムにおいて売買される中古品の中には、比較的短期間のうちに、その価値を失ってしまうものもある。そのため、第１エンティティが中古品を売りに出してから買い手がつくまでの間に、中古品の価格が著しく低減してしまう場合もある。
【０００５】
一方、前記売買仲介システムにおいて、第２エンティティは、どのような商品がいつ前記売買仲介システムに登録されて、いつ購入することができるかを事前に知ることができない。そのため、第２エンティティにとっては、中古品の購入予定や該購入する中古品に基づく次の稼動計画を立てることが困難となる。
【０００６】
そこで、本発明は、以上の点に鑑み、資源が譲渡される際に要するタイムロスによって、その価値が低減することを抑制し得るように、資源の譲渡状態を管理し得る、言うなれば、資源の未来管理を可能とするシステム、当該管理機能をコンピュータに付与するプログラム、当該プログラムをコンピュータにダウンロードする方法、および当該方法を実施するサーバを提供することをその解決課題とする。
【課題を解決するための手段】
【０００７】
上記課題を解決するために、本発明の資源情報管理システムは、ネットワーク通信を利用して、エンティティが有する資源に関する情報を管理するシステムであって、複数の第１端末とのネットワーク通信により、複数の第１エンティティのそれぞれを識別するための第１識別子と、第１エンティティがリリースする資源（以下「第１資源」という。）と、第１エンティティによる第１資源のリリース時期（以下「第１時期」という。）とを関連付けて認識する第１処理部と、複数の第２端末とのネットワーク通信により、第１エンティティと異なる複数の第２エンティティのそれぞれを識別するための第２識別子と、第２エンティティがリクエストする資源（以下「第２資源」という。）と、第２エンティティによる第２資源の取得要望時期（以下「第２時期」という。）とを関連付けて認識する第２処理部と、第１処理部によって認識された第１資源と、第２処理部によって認識された第２資源とが一致するという資源的要件と、第１処理部によって認識された第１時期と、第２処理部によって認識された第２時期とが重複するという時期的要件とを満たす第１識別子および第２識別子の組合せを決定する第３処理部とを備えることを特徴とする。
【０００８】
本発明の資源情報管理システムによれば、第１処理部によって、複数の第１エンティティの夫々がリリースする第１資源と第１時期とが認識される。一方、第２処理部によって、複数の第２エンティティの夫々が取得要望する第２資源と第２時期とが認識される。そして、第３処理部によって、複数の第１エンティティと第２エンティティの中から、第１資源と第２資源とが一致し、且つ、第１時期と第２時期とが重複する第１識別子と第２識別子との組合せが決定される。
【０００９】
かかる組合せに従って、第１エンティティから第２エンティティに、第１資源が第１時期と第２時期との重複時期に譲渡されることにより、第１エンティティは、例えば、自己がリリースする予定のパチンコ台やゲーム機等の第１資源が譲渡される際に要するタイムロスを抑制することができる。これにより、第１エンティティは、第１資源の第２エンティティへの譲渡の際に要するタイムロスによって、当該第１資源の価値を減じることを抑制しながら、第１資源を譲渡先となる第２エンティティを認識することができる。一方、第２エンティティは、事前に取得要望する第２資源がリリースされ取得できる時期を知った上で、第２資源を譲り受ける第１エンティティを認識することができ、事前に第２資源の稼動計画等を立てることができる。
【００１０】
また、第１エンティティは、例えば、現在稼動中の第１資源が稼動済みの中古品となる前に、次の譲渡先となる第２エンティティを認識することができるため、中古品を抱え、該中古品の在庫管理を行う管理コストを削減することができる。
【００１１】
さらに、前記組合せに従って、第１資源が第２エンティティに直接輸送等されることで、第１エンティティは倉庫への搬入搬出のコストを削減できる。一方、第２エンティティは、第２資源を取得要望する時期に確実に譲り受けが可能となるため、購入した第２資源の一時保管などのコストが削減できる。
【００１２】
このように本発明の資源情報管理システムによれば、第１エンティティは、自己がリリースする第１資源が譲渡される際に要するタイムロスによって、その価値を減じることを抑制しながら、第１資源を譲渡できる相手先を認識することができ、第２エンティティは、事前に取得要望する第２資源がリリースされる時期を知った上で、第２資源を譲り受ける相手先を認識することができる。言うなれば、本発明の資源情報管理システムは、資源の未来管理をすることができるシステムである。
【００１３】
なお、本発明の構成要素である処理部がａを「認識する」とは、当該処理部が端末からネットワークを介してａを受信することのほか、記憶装置（メモリ、ハードディスク等）からａを読み出すこと、データベースサーバ等の外部情報源からネットワークを介してａを受信すること、記憶装置から読み出したり外部情報源から受信した基礎情報に基づいてａを設定、算定、選定、予測等することおよび設定、算定、選定、予測等したａを記憶装置に記憶保持しておくこと等を包含する概念である。
【００１４】
また、本発明における「資源」は、パチンコ台やゲーム機等の遊戯装置をはじめとする取引可能な全ての物を包含する概念であり、「資源を認識する」とは、資源の種類や製造元等を認識することを意味する。
【００１５】
また、本発明の資源情報管理システムは、第１処理部が第１識別子に関連付けて第１資源の市場価格または第１エンティティによる第１資源の販売希望価格（以下「第１価格」という。）をさらに認識し、第２処理部が第２識別子に関連付けて第２エンティティによる第２資源の購入希望価格（以下「第２価格」という。）をさらに認識し、第３処理部が、第１処理部により認識された第１価格と、第２処理部により認識された第２価格との合致度を表す変数を価格変数として算出し、当該価格変数に基づいて第１および第２識別子の組合せを決定することを特徴とする。
【００１６】
かかる本発明の資源情報管理システムによれば、第１処理部によって認識された第１資源の市場価格または販売希望価格である第１価格と、第２処理部によって認識された第２資源の購入希望価格である第２価格との合致度を価格変数として算出する。そして、価格変数に基づいて、例えば価格変数が最大となる場合のように、第１エンティティと第２エンティティの価格の折り合いの観点から適当な第１識別子と第２識別子との組合せを決定することができる。
【００１７】
これにより、第１エンティティは、第１資源の市場価格または販売希望価格である第１価格に合致し得る第１資源の譲渡相手先を認識することができる。一方、第２エンティティは、第２資源の購入希望価格である第２価格に合致し得る第２資源の譲受け相手先を認識することができる。
【００１８】
なお、「価格」には、一つの価格のみならず、一定の幅を有する価格帯をも含む概念である。また、「価格」には、価格自体が単独で認識される場合のほか、識別子に予め書き込まれている価格のコード情報等を読み出すことによって認識されるものを含む概念である。
【００１９】
また、「第１および第２価格の合致度」とは、（１）一の第１エンティティの第１価格と、一の第２エンティティの第２価格との合致度、（２）一の第１エンティティの第１価格と、複数の第２エンティティの第２価格（総額）との合致度、（３）複数の第１エンティティの第１価格（総額）と、一の第２エンティティの第２価格との合致度、または（４）複数の第１エンティティの第１価格（総額）と、複数の第２エンティティの第２価格（総額）との合致度を意味する。
【００２０】
さらに、「第１および第２価格の合致度」の高低は、第１および第２価格の合致する程度が高いほど第１および第２エンティティの価格についての希望に近いことを意味する。従って、「第１および第２価格の合致度」は、第１価格と第２価格との偏差が小さくなるほど高く評価されてもよく、第１および第２価格が一定の幅を有する価格帯の場合には、第１価格の価格帯と第２価格の価格帯との重複幅が大きいほど高く評価されてもよく、第１価格の価格帯の上限価格、中心価格又は下限価格と第２価格の価格帯の上限価格、中心価格又は下限価格との偏差が小さくなるほど高く評価されてもよい。
【００２１】
さらに、本発明の資源情報管理システムにおいて、第１処理部が第１識別子に関連付けて第１エンティティによる第１資源のリリース数量（以下「第１数量」という。）をさらに認識し、第２処理部が第２識別子に関連付けて第２エンティティによる第２資源のリクエスト数量（以下「第２数量」という。）をさらに認識し、第３処理部が、第１処理部によって認識された第１数量と、第２処理部によって認識された第２数量との合致度を表す変数を数量変数として算出し、当該数量変数に基づいて第１および第２識別子の組合せを決定することを特徴とする。
【００２２】
かかる本発明の資源情報管理システムによれば、前記第１処理部によって認識された第１エンティティがリリースする第１資源の第１数量と、第２処理部によって認識された第２エンティティが取得要望する第２資源の第２数量との合致度を数量変数として算出する。そして、数量変数に基づいて、例えば数量変数が最大となる場合のように、第１エンティティと第２エンティティの数量の折り合いの観点から適当な第１識別子と第２識別子との組合せを決定することができる。
【００２３】
これにより、第１エンティティは、リリースする第１資源の第１数量に合致し得る譲渡相手先を認識することができる。一方、第２エンティティは、リクエストする第２資源の第２数量に合致し得る第２資源の譲受け相手先を認識することができる。
【００２４】
なお、「数量」には、１つの数量値のみならず、一定の幅を有する数量帯をも含む概念である。また、「数量」には、数量自体が単独で認識される場合のほか、識別子に予め書き込まれている数量のコード情報等を読み出すことによって認識されるものを含む概念である。
【００２５】
また、「第１および第２数量の合致度」とは、（１）一の第１エンティティの第１数量と、一の第２エンティティの第２数量との合致度、（２）一の第１エンティティの第１数量と、複数の第２エンティティの第２数量（総数）との合致度、（３）複数の第１エンティティの第１数量（総数）と、一の第２エンティティの第２数量との合致度、または（４）複数の第１エンティティの第１数量（総数）と、複数の第２エンティティの第２数量（総数）との合致度を意味する。
【００２６】
さらに、「第１および第２数量の合致度」の高低は、第１および第２数量の合致する程度が高いほど第１および第２エンティティの数量についての希望に近いことを意味する。従って、「第１および第２数量の合致度」は、第１数量と第２数量との偏差が小さくなるほど高く評価されてもよく、第１および第２数量が一定の幅を有する数量帯の場合には、第１数量の数量帯と第２数量の数量帯との重複幅が大きいほど高く評価されてもよく、第１数量の数量帯の上限数量、中心数量又は下限数量と第２数量の数量帯の上限数量、中心数量又は下限数量との偏差が小さくなるほど高く評価されてもよい。
【００２７】
また、本発明の資源情報管理システムにおいて、第１処理部が第１識別子に関連付けて第１エンティティの社会的、経済的および地理的属性のうち一部または全部に応じた第１属性因子をさらに認識し、第２処理部が第２識別子に関連付けて第２エンティティの社会的、経済的および地理的属性のうち一部または全部に応じた第２属性因子をさらに認識し、第３処理部が、第１処理部によって認識された第１属性因子と、第２処理部によって認識された第２属性因子との合致度を表す変数を属性変数として算出し、当該属性変数に基づいて第１および第２識別子の組合せを決定することを特徴とする。
【００２８】
かかる本発明の資源情報管理システムによれば、第１処理部によって認識された第１エンティティの社会的、経済的および地理的属性の一部または全部に応じた第１属性因子と、第２処理部によって認識された第２エンティティの社会的、経済的および地理的属性の一部または全部に応じた第２属性因子との合致度を属性変数として算出する。そして、属性変数に基づいて、例えば属性変数が最大となる場合のように、社会的、経済的および地理的属性に鑑みて、適当な第１識別子と第２識別子との組合せを決定することができる。
【００２９】
これにより、第１エンティティは、第１エンティティの社会的、経済的および地理的属性に鑑みて適当な第２エンティティを第１資源の譲渡相手先として認識することができる。一方、第２エンティティは、第２エンティティの社会的、経済的および地理的属性に鑑みて適当な第１エンティティを第２資源の譲受け相手先として認識することができる。
【００３０】
なお、「属性因子」は、エンティティの社会的、経済的および地理的属性を示す情報および当該情報を数値化したコード情報などが含まれる。また、「属性因子を認識する」とは、属性因子を単独で認識することのほか、識別子に予め書き込まれているエンティティの社会的、経済的および地理的属性を示すコード情報等を読み出すことによって認識することなどを意味する。
【００３１】
また、「第１および第２属性因子の合致度」とは、（１）一の第１エンティティの第１属性因子と、一の第２エンティティの第２属性因子との合致度、（２）一の第１エンティティの第１属性因子と、複数の第２エンティティの第２属性因子（総和）との合致度、（３）複数の第１エンティティの第１属性因子（総和）と、一の第２エンティティの第２属性因子との合致度、または（４）複数の第１エンティティの第１属性因子（総和）と、複数の第２エンティティの第２属性因子（総和）との合致度を意味する。
【００３２】
さらに、「第１および第２属性因子の合致度」の高低は、第１および第２属性因子の合致する程度が高いほど第１および第２エンティティの属性因子についての希望に近いことを意味する。例えば、「第１および第２属性因子の合致度」は、コード化された第１属性因子と第２属性因子との組合せに応じて、所定のテーブルにより決定されてもよい。
【００３３】
さらに、本発明の資源情報管理システムにおいて、第３処理部が、決定した組合せに係る第１識別子により識別される第１エンティティの第１端末に、当該組み合わせに係る第２識別子を送信し、かつ、当該組合せに係る第２識別子により識別される第２エンティティの第２端末に、当該組み合わせに係る第１識別子を送信することを特徴とする。
【００３４】
かかる資源情報管理システムによれば、前記組合せ結果が該組合せに係る第１エンティティおよび第２エンティティに相互に送信される。これにより、第１エンティティは、第１資源を譲渡する第２エンティティを把握した上で、該組合せに同意して譲渡をなすべきか決定することができる。一方、第２エンティティは、第２資源を譲受ける第１エンティティを把握した上で、該組合せに同意して、譲受けを受けるべきか決定することができる。
【００３５】
また、本発明の資源情報管理システムにおいて、第３処理部が、第２識別子を送信した第１端末から第１エンティティによる第２識別子により識別される第２エンティティへの第１資源の譲渡同意を受信し、かつ、第１識別子を送信した第２端末から第２エンティティによる第１識別子により識別される第１エンティティからの第１資源の譲渡同意を受信したことを要件として、第１および第２識別子の組合せを最終的に決定することを特徴とする。
【００３６】
かかる資源情報管理システムによれば、前記組合せに係る第１エンティティおよび第２エンティティが、相互に該組合せに同意する場合に、該組合せを最終決定する。かかる最終決定に基づいて、第１エンティティから第２エンティティに資源が譲渡されることにより、取引の安全性を向上させることができる。
【００３７】
さらに、本発明の資源情報管理システムにおいて、第３処理部により最終決定された第１および第２識別子のうち一方または両方を輸送業者の端末に送信することを特徴とする。
【００３８】
かかる本発明の資源情報管理システムによれば、最終決定に係る第１識別子および第２識別子の一方または両方を輸送業者に送信することにより、第１エンティティから第２エンティティに譲渡される資源の輸送に必要なトラック、作業員等の輸送手段の手配を行うことができる。
【００３９】
上記課題を解決するために、本発明の資源情報管理プログラムは、ネットワーク通信を利用して、エンティティが有する資源に関する情報を管理する機能をコンピュータに付与するプログラムであって、複数の第１端末とのネットワーク通信により、複数の第１エンティティのそれぞれを識別するための第１識別子と、第１資源と、第１時期とを関連付けて認識する第１処理機能と、複数の第２端末とのネットワーク通信により、第１エンティティと異なる複数の第２エンティティのそれぞれを識別するための第２識別子と、第２資源と、第２時期とを関連付けて認識する第２処理機能と、第１処理機能によって認識された第１資源と、第２処理機能によって認識された第２資源とが一致するという資源的要件と、第１処理機能によって認識された第１時期と、第２処理機能によって認識された第２時期とが重複するという時期的要件とを満たす第１識別子および第２識別子の組合せを決定する第３処理機能とを前記コンピュータに付与することを特徴とする。
【００４０】
本発明の資源情報管理プログラムによれば、前記コンピュータ上で実行させて、第１処理機能により複数の第１エンティティがリリースする第１資源と第１時期とが認識され、第２処理機能により、複数の第２エンティティがリクエストする第２資源と取得要望する第２時期とが認識され、第３処理機能により、複数の第１エンティティと第２エンティティの中から、第１資源と第２資源とが一致し、且つ、第１時期と第２時期とが重複する第１識別子と第２識別子との組合せが決定される。これにより、第１エンティティは、第１資源の第２エンティティへの譲渡の際に要するタイムロスによって、当該第１資源の価値を減じることを抑制しながら、第１資源を譲渡できる相手先を認識することができ、第２エンティティは、事前に取得要望する第２資源がリリースされる時期を知った上で、第２資源を譲り受ける相手先を認識することができる。言うなれば、本発明の資源情報管理プログラムは、資源の未来管理をすることができる管理機能をコンピュータに付与するプログラムである。
【００４１】
上記課題を解決するために、本発明の方法は、資源情報管理システムを構成するために前記資源情報管理プログラムのうちの一部または全部を、ネットワークを介してコンピュータ又はサーバにダウンロードすることを特徴とする。
【００４２】
本発明の方法によれば、複数の第１エンティティと第２エンティティの中から、第１資源と第２資源とが一致し、且つ、第１時期と第２時期とが重複する第１識別子と第２識別子との組合せが決定される資源情報管理システムが、前記コンピュータ又はサーバへの任意のタイミングでプログラムの一部または全部がダウンロードされることによって構成され得る。
【００４３】
上記課題を解決するために、本発明のサーバは、前記資源情報管理プログラムのうちの一部または全部を、ネットワークを介してコンピュータ又はサーバにダウンロードする方法を実施することを特徴とする。
【００４４】
本発明のサーバによれば、前記資源情報管理プログラムのうちの一部または全部を、ネットワークを介してコンピュータ又はサーバへ任意のタイミングで送信することによって構成され得る。
【発明を実施するための最良の形態】
【００４５】
本発明の資源情報管理システム、資源情報管理プログラム、資源情報管理システムの構成方法、および資源情報管理システムの構成方法を実施するサーバの実施形態について図面を用いて説明する。
【００４６】
図１は本発明の一実施形態における資源情報管理システムの構成説明図であり、図２および図３は本発明の一実施形態における資源情報管理システムの機能説明図である。
【００４７】
まず、図１を参照して、本実施形態の資源情報管理システムの構成を説明する。図１に示す資源情報管理システムは、複数の第１エンティティの端末（第１端末）２１０と、複数の第２エンティティの端末（第２端末）２２０とを相互通信可能にネットワークを介して接続されたサーバ１００により構成されている。なお、本発明の資源情報管理システムを構成するサーバ１００は1台でも複数台であってもよい。
【００４８】
資源情報管理システムは、第１処理部１１０と、第２処理部１２０と、第３処理部１３０とを備え、各処理部１１０，１２０，１３０は、ハードウェア資源であるＣＰＵ、ＲＯＭ（ＥＥＰＲＯＭなど）やＲＡＭなどのメモリ、信号入力回路、信号出力回路等と、ＣＰＵに特定の情報処理機能を付与するため、メモリに格納されている本発明の「資源情報管理プログラム」とにより構成されている。なお、各処理部１１０，１２０，１３０は、異なるハードウェア資源により構成されていてもよいし、共通のハードウェア資源により構成されていてもよい。また、資源情報管理プログラムは、最初からメモリに格納されていてもよく、その一部又は全部が任意のタイミングで所定のサーバからダウンロードされてもよい。
【００４９】
第１処理部１１０は、複数の第１端末２１０とのネットワーク通信により、複数の第１エンティティのそれぞれを識別するための第１識別子（個々の第１エンティティが有するＩＤ等）と、第１エンティティがリリースする第１資源と、第１資源がリリースされる第１時期と、第１資源の市場価格または第１エンティティによる第１資源の販売希望価格である第１価格と、第１資源がリリースされる第１数量と、第１識別子に含まれる第１エンティティの社会的コード（因子）、経済的コード（因子）および地理的コード（因子）のうち一部または全部とを関連付けて認識する。なお、第１処理部１１０によって認識された社会的コード（因子）、経済的コード（因子）および地理的コード（因子）の一部または全部が、本発明における第１属性因子に相当する。
【００５０】
第２処理部１２０は、複数の第２端末２２０とのネットワーク通信により、第１エンティティと異なる複数の第２エンティティのそれぞれを識別するための第２識別子（個々の第２エンティティが有するＩＤ等）と、第２エンティティがリクエストする第２資源と、第２資源が取得要望される第２時期と、第２資源の購入希望価格である第２価格と、第２資源がリクエストされた第２数量と、第２識別子に含まれる第２エンティティの社会的コード（因子）、経済的コード（因子）および地理的コード（因子）のうち一部または全部とを関連付けて認識する。なお、第２処理部１２０によって認識された社会的コード（因子）、経済的コード（因子）および地理的コード（因子）の一部または全部が、本発明における第２属性因子に相当する。
【００５１】
第３処理部１３０は、第１処理部１１０および第２処理部１２０によって認識された第１価格と第２価格との合致度を表す変数を価格変数と、第１数量と第２数量との合致度を表す変数を数量変数と、第１属性因子と第２属性因子との合致度を表す変数を属性変数とを算出する。
【００５２】
また、第３処理部１３０は、第１処理部１１０によって認識された複数の第１識別子と、第２処理部１２０によって複数の第２識別子の中から、第１資源と第２資源とが一致する資源要件と、第１時期と第２時期とが重複する時期的要件とを満たし、かつ、価格変数と数量変数と、属性変数とが後述する所定の条件を満たす第１識別子と第２識別子の組合せを決定する。
【００５３】
さらに、第３処理部１３０は、前記決定した組合せに係る第１識別子により識別される第１エンティティの第１端末２１０に、該組合せに係る第２識別子を送信し、かつ、該組合せに係る第２識別子により識別される第２エンティティの第２端末２２０に、該組み合わせに係る第１識別子を送信する。
【００５４】
また、第３処理部１３０は、第２識別子を送信した第１端末２１０から第１エンティティによる第２識別子により識別される第２エンティティへの第１資源の譲渡同意を受信し、かつ、第１識別子を送信した第２端末２２０から第２エンティティによる第１識別子により識別される第１エンティティからの第１資源の譲渡同意を受信したことを要件として、第１および第２識別子の組合せを最終的に決定する。
【００５５】
さらに、第３処理部１３０は、最終決定された第１および第２識別子のうち一方または両方を輸送業者の端末に送信する。
【００５６】
次に、本発明の一実施形態における前記構成を有する資源情報管理システムの機能について図２および図３を用いて説明する。
【００５７】
まず、図２に示すように、第１端末２１０において、第１エンティティにより、第１エンティティがリリースする第１資源、第１時期、第１価格および第１数量のリリース情報の入力又は選択が行われる（図２／Ｓ１１）。
【００５８】
具体的には、第１端末２１０に第１エンティティを特定するためのＩＤ等が入力されることによりサーバ１００とのネットワーク通信が開始され、第１エンティティが現在稼動させている資源の一覧表が第１端末２１０のディスプレイ（図示略）に表示される。第１エンティティは、一覧表の中から稼動を停止してリリースする第１資源、リリースする第１時期およびリリースする第１数量の夫々を選択する。これらの選択された第１エンティティのリリース情報は、当該第１端末２１０の第１データベース２１５に格納される。
【００５９】
第１データベース２１５に格納された第１エンティティのリリース情報は、当該リリース情報の格納時または所定のタイミングで、当該第１エンティティを識別する第１識別子（ＩＤ等）とともにサーバ１００に送信される（図２矢印（１））。
【００６０】
第１識別子と第１エンティティのリリース情報とがサーバ１００に送信されると、サーバ１００の第１処理部１１０により、第１識別子および第１エンティティのリリース情報が認識される（図２／Ｓ１１０）。
【００６１】
具体的には、第１処理部１１０は、第１識別子により第１エンティティを識別して認識するとともに、第１識別子（ＩＤ等）のコード情報に含まれる当該第１エンティティが有する会社情報の社会的コード、経済的コードおよび所在地情報等の地理的コードの一部又は全部を認識する。
【００６２】
例えば、図３に模式的に示すように、第１処理部１１０は、第１識別子（ＩＤ等）に基づいて、第１エンティティがＸ社であること表す社会的コードＸを認識する。さらに、第１処理部１１０は、第１識別子（ＩＤ等）に基づいて、第１エンティティの所在地がエリアａに属することを表す地理的コードａを認識する。なお、ここでは、第１処理部１１０によって、社会的コードと地理的コードとが認識されたが、社会的コード、経済的コードおよび地理的コードの全部が認識されてもよく、また社会的コード、経済的コードおよび地理的コードの一部が選択的に認識されてもよい。
【００６３】
また、第１処理部１１０は、前記リリース情報に基づいて、第１エンティティがリリースする第１資源、第１時期、第１価格および第１数量を認識する。例えば、前記第１エンティティが、第１資源の種類がＡ機種である資源を２００６年４月１４日に、販売希望価格を指定することなく市場価格に基づいて、３０台リリースする設定操作を第１端末２１０で行った場合、図３に示すように、第１処理部１１０により、第１エンティティが、第１資源がＡ機種である資源を、第１時期である２００６年４月１４日に、第１価格を市場価格として、第３数量を３０台としてリリースすることが認識される。
【００６４】
なお、これら第１処理部１１０で認識された情報は、第１識別子と関連付けて、サーバ１００のメモリ（図示略）等に記憶される。
【００６５】
一方、第２端末２２０において、第２エンティティにより、第２エンティティがリクエストする第２資源、第２時期、第２価格および第２数量のリクエスト情報が入力される。（図２／Ｓ２１）。
【００６６】
具体的には、第２端末２２０に第２エンティティを特定するためのＩＤ等が入力されることによりサーバ１００とのネットワーク通信が開始されるともに、第２端末２２０のディスプレイ（図示略）の表示に従って、第２エンティティがリクエストする第２資源と、第２資源を取得要望する第２時期と、第２資源の購入希望価格である第２価格と、リクエストする第２数量との夫々入力される。これらの選択された第２エンティティのリクエスト情報は、当該第２端末２２０の第２データベース２２５に格納される。
【００６７】
第２データベース２２５に格納された第２エンティティのリクエスト情報は、当該リクエスト情報の格納時または所定のタイミングで、当該第２エンティティを識別する第２識別子（ＩＤ等）とともにサーバ１００に送信される（図２矢印（１））。
【００６８】
第２識別子と第２エンティティのリクエスト情報とがサーバ１００に送信されると、サーバ１００の第２処理部１２０により、第２識別子および第２エンティティのリクエスト情報が認識される（図２／Ｓ１２０）。
【００６９】
具体的には、第２処理部１２０は、第２識別子により第２エンティティを識別して認識するとともに、第２識別子（ＩＤ等）のコード情報に含まれる当該第２エンティティの社会的コード、経済的コードおよび地理的コードの一部又は全部を認識する。
【００７０】
例えば、図３に模式的に示すように、第２処理部１２０は、第２識別子（ＩＤ等）に基づいて、第２エンティティ（１）がＹ社であることを表す社会的コードＹを認識する。さらに、第２処理部１２０は、第２識別子（ＩＤ等）に基づいて、第２エンティティ（１）の所在地がエリアｃに属することを表す地理的コードｃを認識する。なお、ここでは、第２処理部１２０によって、社会的コードと地理的コードとが認識されたが、社会的コード、経済的コードおよび地理的コードの全部が認識されてもよく、また社会的コード、経済的コードおよび地理的コードの一部が選択的に認識されてもよい。
【００７１】
また、第１処理部１１０は、前記リクエスト情報に基づいて、第１エンティティがリクエストする第２資源、第２時期、第２価格および第２数量が認識される。例えば、前記Ｙ社ｃ支店である第２エンティティ（１）が、第２資源がＡ機種である資源を２００６年４月１２日〜２０日に、購入希望価格を１台１３万円で、１０台取得要望するリクエスト操作を第２端末２２０で行った場合、図３に示すように、第２処理部１２０により、前記Ｙ社ｃ支店である第２エンティティ（１）が、第２資源がＡ機種である資源を、第２時期を２００６年４月１２日〜２０日として、第２価格を１台１３万円として、第２数量を１０台としてリクエストしていることが認識される。同様にして、図３に示すように、第２処理部１２０により、複数の第２エンティティ（２）〜（４）および該第２エンティティ（２）〜（４）のリクエスト情報が認識される。
【００７２】
なお、これら第２処理部１２０で認識された情報は、第２識別子と関連付けて、サーバ１００のメモリ（図示略）等に記憶される。
【００７３】
次に、第３処理部１３０は、第１処理部１１０及び第２処理部１２０によって認識された第１エンティティがリクエストする第１資源と第２エンティティがリクエストする第２資源と一致するという資源的要件と、第１時期と第２時期とが重複するという時期的要件を満たすことを条件として、該条件を満たす第１識別子と第２識別子の仮組合せを決定する（図２／Ｓ１３１）
例えば、図３に示す場合に、第１エンティティがリリースする第１資源はＡ機種であるのに対して、第２エンティティ（１），（３），（４）は、リクエストする第２資源がＡ機種である点で資源的要件を充足している。一方、第２エンティティ（２）は、リクエストする第２資源が、Ａ機種と異なるＢ機種である点で、資源的要件を充足していない。
【００７４】
また、第１エンティティがリリースする第１時期は、２００６年４月１４日であるのに対して、第２エンティティ（１），（２），（４）は、取得要求する第２時期が、第１時期と重複している点で時期的要件を充足している。一方、第２エンティティ（３）は、取得要求する第２時期が、第１時期と重複しない２００６年５月１０日〜２０日の時期である点で、時期的要件を充足していない。
【００７５】
この場合、第３処理部１３０は、資源的要件と時期的要件とを満たす第１識別子と第２識別子の仮組合せとして、前記第１エンティティの第１識別子に対して第２エンティティ（１），（４）の２つ第２識別子を決定する。
【００７６】
次いで、第３処理部１３０は、Ｓ１３１の仮組合せに係る第１識別子と第２識別子の価格変数と数量変数と属性変数とを算出する（図２／Ｓ１３２）。
【００７７】
具体的に、価格変数は、下式（Ａ）に示すように、第１価格Ｐ１と第２価格Ｐ２の差の絶対値を第１価格Ｐ１で割った値を１から引いた値として求めることができる。なお、ここで価格変数は、下式（Ａ）を用いて算出したが、第１価格と第２価格との偏差に応じた減少関数となれば他の式を用いて算出してもよい。
【００７８】
１−｜（Ｐ１−Ｐ２）｜／Ｐ１            （Ａ）
【００７９】
例えば、図３に示す場合には、第１価格が市場価格の１台当たり１５万円であるのに対して、第２エンティティ（１）の第２価格は、１台当たり１３万円であるため、この場合の価格変数は、
１−｜（１５−１３）｜／１５＝０．８６
と求められる。一方、第２エンティティ（４）の第２価格は、１台当たり１６万円であるため、この場合の価格変数は、
１―｜（１５−１６）｜／１５＝０．９３
と求められる。
【００８０】
また、数量変数については、下式（Ｂ）に示すように、第１数量Ｑ１と第２数量Ｑ２の差の絶対値を第１数量Ｑ１で割った値を１から引いた値として求めることができる。なお、ここで数量変数は、下式（Ａ）を用いて算出したが、第１数量と第２数量との偏差に応じた減少関数となれば他の式を用いて算出してもよい。
【００８１】
１−｜（Ｑ１−Ｑ２）｜／Ｑ１            （Ｂ）
【００８２】
例えば、図３に示す場合には、第１数量が３０台であるのに対して、第２エンティティ（１）の第２数量は１０台であるため、この場合の数量変数は、
１−｜（３０−１０）｜／３０＝０．３３
と求められる。一方、第２エンティティ（４）の第２数量は、２５台であるため、この場合の数量変数は、
１―｜（３０−２５）｜／３０＝０．８３
と求められる。
【００８３】
さらに、属性変数については、第１エンティティおよび第２エンティティの社会的コード（因子）の合致度と地理的コード（因子）の合致度とを所定のテーブルを用いて算出し、算出された社会的コードの合致度と地理的コードの合致度とを合算した値を属性変数とする。
【００８４】
具体的に社会的コードに関する合致度は、下表１に示すテーブルを用いて算出することができ、地理的コードの合致度は下表２に示すテーブルを用いて算出することができる。
【００８５】
【表１】
2007299041.tif 000003
【００８６】
【表２】
2007299041.tif 000004
【００８７】
表１に示す社会的コードの合致度を算出するテーブルは、第１および第２エンティティの社会的コードがともにＸである場合の合致度が１．０となっているように、第１エンティティと第２エンティティとが同一グループ会社や同一企業体に属する場合に合致度が高くなるように設定されている。
【００８８】
また、表１に示す社会的コードの合致度を算出するテーブルは、第１エンティティの社会的コードがＸであり第２エンティティの社会的コードがＺである場合の合致度が０．５となっているように、第１エンティティと第２エンティティとが同一グループ会社や同一企業体の関係にない場合に、同一グループ会社や同一企業体である場合の合致度に比べてやや低い合致度となるように設定されている。
【００８９】
さらに、表１に示す社会的コードの合致度を算出するテーブルは、第１エンティティの社会的コードがＹであり第２エンティティの社会的コードがＺである場合の合致度が０．３となっているように、第１エンティティと第２エンティティとが競合関係にあるグループ会社や企業体に属する場合に、上述の２つの場合の合致度に比べてさらに低い合致度となるように設定されている。
【００９０】
また、表１に示す社会的コードの合致度を算出するテーブルは、第１エンティティの社会的コードがＸであり第２エンティティの社会的コードがＹの場合が１．０であるのに対して、第１エンティティの社会的コードがＹであり第２エンティティの社会的コードがＸの場合が０．５となっている。これは、連結決算等の関係から一方向の取引の流れがより好ましい場合もあり得るためである。このように、当該テーブルは、第１エンティティと第２エンティティとの組み合わせに応じた適切な取引の流れとなるように、非対称な合致度の値が設定されている。
【００９１】
さらに、表１に示す社会的コードの合致度を算出するテーブルは、第１エンティティおよび第２エンティティの社会的属性の変化等に応じて、事後的に設定・修正等がなされてもよい。
【００９２】
例えば、図３に示す場合に、第１処理部１１０で認識された第１エンティティの社会的コードはＸであり（図２／Ｓ１１０）、第２処理部１２０で認識された第２エンティティ（１）の社会的コードはＹである（図Ｓ１２０）。従って、表１に示すテーブルから、第１エンティティの社会的コードＸと第２エンティティ（１）の社会的コードＹとの合致度は１．０と算出される。一方、第２エンティティ（４）の社会的コードはＸであり（図２／Ｓ１２０）、表１から、第１エンティティの社会的コードＸと第２エンティティ（４）の社会的コードＸとの合致度は１．０と算出される。
【００９３】
表２に示す地理的コードの合致度を算出するテーブルは、第１エンティティの地理的コードがａであり第２エンティティの地理的コードがｂである場合の合致度が１．０となっているように、第１エンティティと第２エンティティとの所在地が属するエリアが隣接する場合に合致度が高くなるように設定されている。
【００９４】
また、表２に示す地理的コードの合致度を算出するテーブルは、第１エンティティの地理的コードがａであり第２エンティティの地理的コードがｃである場合の合致度が０．５となっているように、第１エンティティと第２エンティティとの所在地が属するエリア間の距離が大きくなるほど合致度が低くなるように設定されている。
【００９５】
さらに、表２に示す地理的コードの合致度を算出するテーブルは、第１および第２エンティティの地理的コードがともにａである場合の合致度が０．５となっている。これは、取引される資源の種類によっては、例えば、同一資源が同一エリア内で取引されて稼動されることを推奨できない場合もあるためである。このように、当該テーブルは、第１エンティティと第２エンティティとの所在地が属するエリアが同一となる場合には、エリアが隣接する場合に比べて低い合致度となるように設定されている。
【００９６】
さらに、表２に示す地理的コードの合致度を算出するテーブルは、第１エンティティの地理的コードがａであり第２エンティティの地理的コードがｃの場合が０．５であるのに対して、第１エンティティの地理的コードがｃであり第２エンティティの地理的コードがａの場合が０．１となっている。これは、資源の種類によっては、例えば、都市部から郊外へ一方向の資源の流通が好ましい場合等もあり得るためである。このように、当該テーブルは、資源の流通形態に鑑みて適切な取引の流れとなるように、非対称な合致度の値が設定されている。
【００９７】
また、表２に示す地理的コードの合致度を算出するテーブルは、第１エンティティおよび第２エンティティの地理的属性の変化に応じて、事後的に設定・修正等がなされてもよい。
【００９８】
例えば、図３に示す場合に、第１処理部１１０で認識された第１エンティティの地理的コードはａであり（図２／Ｓ１１０）、第２処理部１２０で認識された第２エンティティ（１）の地理的コードはｃである（図Ｓ１２０）。従って、表２に示すテーブルから、第１エンティティの地理的コードＸと第２エンティティ（１）の地理的コードＹとの合致度は０．５と算出される。一方、第２エンティティ（４）の地理的コードはｂであり（図２／Ｓ１２０）、表２から、第１エンティティの地理的コードａと第２エンティティ（４）の地理的コードｂとの合致度は１．０と算出される。
【００９９】
そして、算出された社会的コードの合致度と地理的コードの合致度とを合算した値を属性変数とする。例えば、図３に示す場合には、第１エンティティと第２エンティティ（１）との属性変数は、社会的コードの合致度１．０と地理的コードの合致度０．５を合算して、１．５と算出される。一方、第１エンティティと第２エンティティ（４）との属性変数は、社会的コードの合致度１．０と地理的コードの合致度１．０を合算して、２．０と算出される。
【０１００】
なお、本実施形態においては、属性変数として、第１エンティティおよび第２エンティティの社会的コードの合致度と地理的コードの合致度とを合算した値を用いているが、第１エンティティおよび第２エンティティの社会的コードの合致度または第１エンティティおよび第２エンティティの地理的コードの合致度のいずれか一方を属性変数として用いてもよい。
【０１０１】
このようにして、Ｓ１３１の仮組合せに係る第１識別子と第２識別子の価格変数と数量変数と属性変数とが算出されると（図２／Ｓ１３２）、第３処理部１３０は、算出された価格変数と数量変数と属性変数とに基づいて、価格変数と数量変数と属性変数との総和が最大となる第１識別子と第２識別子の組合せを決定する（図２／Ｓ１３３）。
【０１０２】
例えば、図３に示す場合には、第１エンティティと第２エンティティ（１）の価格変数０．８６と数量変数０．３３と属性変数１．５との総和は２．６９であるのに対して、第１エンティティと第２エンティティ（４）の価格変数０．９３と数量変数０．８３と属性変数２．０との総和は３．７６となる。従って、第３処理部１３０は、第１識別子と第２識別子の組合せとして、第１エンティティの第１識別子に対して第２エンティティ（４）の第２識別子を決定する。
【０１０３】
次に、第３処理部１３０によって、第１識別子と第２識別子の組合せが決定されると（図２／Ｓ１３３）、第３処理部１３０は、決定した組合せ結果を、サーバ１００から決定した組合せに係る第１識別子により識別される第１エンティティの第１端末２１０と、第２識別子により識別される第２エンティティの第２端末２２０とに送信する（図２矢印（３）（４））。
【０１０４】
具体的には、第３処理部１３０は、サーバ１００から決定した組合せに係る第１識別子により識別される第１エンティティの第１端末２１０に、該組合せに係る第２識別子の情報を送信する。また、第３処理部１３０は、サーバ１００から該組合せに係る第２識別子により識別される第２エンティティの第２端末２２０に、該組み合わせに係る第１識別子の情報を送信する。
【０１０５】
これにより、第１端末２１０のディスプレイには、組合せに係る第２識別子の情報に基づいてリクエストする第１資源の譲渡先となる当該第２エンティティの情報が表示される（図２／Ｓ１２）。一方、第２端末２２０のディスプレイには、組合せに係る第１識別子の情報に基づいてリクエストする第２資源の譲受け先となる当該第１エンティティの情報が表示される（図２／Ｓ２２）。
【０１０６】
次いで、決定した組合せに係る第１識別子により識別される第１エンティティが第１端末２１０を介して該組合せに同意する設定操作を行い（図２／Ｓ１３）、該組合せに係る第２識別子により識別される第２エンティティが第２端末２２０を介して該組合せに同意する設定操作を行うと（図３Ｓ２３）、かかる同意情報が第１端末２１０および第２端末２２０からサーバ１００に送信される（図２矢印（５），（６））。
【０１０７】
これに応じて、第３処理部１３０は、第１端末２１０の第１エンティティおよび第２端末２２０の第２エンティティの同意を受信して、前記組合せ決定に係る第１および第２識別子の組合せを最終的に決定する（図２／Ｓ１３４）。
【０１０８】
一方、第３処理部１３０は、所定期間（例えば、組合せ決定の通知から３日）以内に、第１端末２１０の第１エンティティおよび第２端末２２０の第２エンティティの少なくともいずれか一方の同意を受信できない場合には、第３処理部１３０によって決定された組合せを解除して、前記Ｓ１３０の組合せ以下の処理を繰り返す。
【０１０９】
次に、第３処理部１３０は、組合せ決定に係る第１および第２識別子の組合せを最終的に決定する（図２／Ｓ１３４）と、最終決定された第１および第２識別子のうち一方または両方を輸送業者の端末に送信する（図２矢印（７））。これにより、最終決定された第１識別子により識別される第１エンティティから、第２識別子により識別される第２エンティティに譲渡される資源の輸送に必要なトラック、作業員等の輸送手段の手配を行うことができる。
【０１１０】
以上が、本発明の資源情報管理システムにおける一実施形態の全体的な構成および機能の説明である。
【０１１１】
なお、本実施形態において、第３処理部１３０が、価格変数と数量変数と属性変数との総和が最大となる第１識別子と第２識別子との一の組合せを決定しているが（図２／Ｓ１３３）、他の実施形態として、仮組合せ（図２／Ｓ１３１）の結果を該仮組合せに係る第１エンティティの第１端末２１０および第２エンティティの第２端末２２０に送信し、該仮組合せに基づいて、（１）第１エンティティが第１資源の譲渡相手先となる第２エンティティを決定してもよく、（２）第２エンティティが第２資源の譲受け相手先となる第１エンティティを決定してもよく、（３）第１エンティティが第１資源の譲渡相手先となる第２エンティティの候補を決定した結果と、第２エンティティが第２資源の譲受け相手先となる第１エンティティの候補を決定した結果とに基づいて、第３処理部１３０が第１エンティティと第２エンティティの組合せを決定してもよい。
【０１１２】
さらに、前記他の実施形態において、前記仮組合せ（図２／Ｓ１３１）の代わりに、価格変数と数量変数と属性変数との総和が所定の範囲となる一または複数の第１識別子と一または複数の第２識別子とからなる組合せに基づいて、第１エンティティと第２エンティティとの組合せを決定してもよい。
【０１１３】
また、本実施形態において、第３処理部１３０は、価格変数と数量変数と属性変数との総和が最大となる第１識別子と第２識別子の組合せを決定したが（図２／Ｓ１３３）、第１および第２エンティティが価格、数量、属性のいずれを重要視するかに応じて、価格変数と数量変数と属性変数との夫々を重み付けした上で、その総和が最大となる第１識別子と第２識別子の組合せを決定してもよい。
【０１１４】
さらに、本発明の資源情報管理システム、資源情報管理プログラム、資源情報管理システムの構成方法、および資源情報管理システムの構成方法を実施するサーバは、以上説明してきた実施形態のすべて構成または機能を備える場合に限られず、これらの構成の一部またはこれら機能の一部によって実現してもよい。また、これらの構成または機能は、上述の説明の順序で処理される場合に限られず、サーバ１００と第１端末２１０又は第２端末２２０との通信のタイミングで任意に処理されてもよい。さらに、各処理部の一部又は全部が、複数のサーバによって分散処理される構成であってもよい。
【０１１５】
また、本実施形態においては、一の第１エンティティと複数の第２エンティティが存在する場合について説明したが、本発明の資源情報システムが適用されるのは、この場合に限られるものではなく、一の第１エンティティと一の第２エンティティとが存在する場合や、複数の第１エンティティと一の第２エンティティとが存在する場合や、複数の第１エンティティと複数の第２エンティティとが存在する場合に適用してもよい。
【０１１６】
さらに、本実施形態において、第３処理部１３０は、（１）一の第１エンティティと一の第２エンティティとの価格変数、数量変数および属性変数に基づいて、一の第１エンティティと一の第２エンティティの組合せを決定したが（図２／Ｓ１３３）、（２）一の第１エンティティと複数の第２エンティティとの価格変数、数量変数および属性変数に基づいて、一の第１エンティティと複数の第２エンティティの組合せを決定してもよく、（３）複数の第１エンティティと一の第２エンティティとの価格変数、数量変数および属性変数に基づいて、複数の第１エンティティと一の第２エンティティの組合せを決定してもよく、（４）複数の第１エンティティと複数の第２エンティティとの価格変数、数量変数および属性変数に基づいて、複数の第１エンティティと複数の第２エンティティの組合せを決定してもよい。
【図面の簡単な説明】
【０１１７】
【図１】本発明の一実施形態における資源情報管理システムの構成説明図。
【図２】本発明の一実施形態における資源情報管理システムの機能説明図。
【図３】本発明の一実施形態における資源情報管理システムの機能説明図。
【符号の説明】
【０１１８】
１００…サーバ、  １１０…第１処理部、  １２０…第２処理部、  １３０…第３処理部、  ２１０…第１端末、  ２２０…第２端末。
【図１】
2007299041.tif 000005
【図２】
2007299041.tif 000006
【図３】
2007299041.tif 000007